(57)【要約】【課題】２方向への切換の場合にゲートの突き当て時の動作音による騒音の発生を抑制し、更に、２方向へ切り換える手段を続けて２回行って３方向切換を行うのは、装置内のレイアウト上コンパクト化の妨げになるので、それを防止し、１箇所で３方向に用紙を切換えて簡単化した用紙搬送切換ゲートとそれを備えた画像形成装置を提供する。【解決手段】前記上流側搬送路からの用紙を受入れる複数の受入れ接続路と、該受入れ接続路が合流して前記下流側搬送路へ用紙を排出する排出接続路とが一体で回動可能に形成された回動部材と、通電により前記回動部材を駆動する駆動手段と、前記回動部材上の第１の作用部位と、前記回動部材以外に設けた第２の作用部位とが作用し合って付勢する付勢手段とを有し、前記駆動手段への通電を絶つと前記付勢手段で前記第１の作用部位と第２の作用部位と前記回動部材の軸心が一直線上に並んで停止する用紙搬送切換ゲート。【選択図】図２
2009067529.tif 000002
【特許請求の範囲】
【請求項１】
上流側搬送路から複数の下流側搬送路の何れかに接続して用紙の搬送路を切換える用紙搬送切換ゲートであって、
前記上流側搬送路からの用紙を受け入れる受入れ接続口を有する複数の受入れ接続路と、
該受入れ接続路が合流して前記下流側搬送路へ用紙を排出する排出接続口を有する排出接続路と、が一体に形成されると共に回動可能となされた回動部材と、
通電により前記回動部材を所要の設定角度回動させる駆動手段と、
前記回動部材上の第１の作用部位の作用点と、前記回動部材以外の場所の第２の作用部位の作用点とが作用し合うよう付勢する付勢手段とを有し、
前記駆動手段へ通電されないとき、前記付勢手段により前記第１の作用部位の作用点と、前記第２の作用部位の作用点と、前記回動部材の軸心上の１点とが直線上にある状態で前記回動部材が停止することを特徴とする用紙搬送切換ゲート。
【請求項２】
前記駆動手段の通電されないときの前記回動部材が停止する位置は、前記排出接続口が前記下流側搬送路の何れか１つに合致し、且つ、その合致に対応する前記受入れ接続口が前記上流側搬送路に合致する位置であることを特徴とする請求項１に記載の用紙搬送切換ゲート。
【請求項３】
前記付勢手段の付勢に抗して、前記駆動手段が働き、前記回動部材を所要の設定角度回動して、上流側搬送路を前記複数の下流側搬送路の何れかに接続して接続を切り換えるようにしたことを特徴とする請求項１又は２に記載の用紙搬送切換ゲート。
【請求項４】
前記付勢手段は前記第１の作用部位と前記第２の作用部位との間に設けられたバネであることを特徴とする請求項１〜３の何れか１項に記載の用紙搬送切換ゲート。
【請求項５】
前記付勢手段は前記第１の作用部位に設けられた磁石と、前記第２の作用部位に設けられた磁石との間に引き合う磁力を発生させる手段であることを特徴とする請求項１〜３の何れか１項に記載の用紙搬送切換ゲート。
【請求項６】
前記回動部材の所要の設定角度を回動させる駆動手段は、前記回動部材に設けた作用部位を作動させるソレノイドであることを特徴とする請求項１〜５の何れか１項に記載の用紙搬送切換ゲート。
【請求項７】
前記回動部材の回動を行う駆動手段は、前記回動部材の回動軸に連結して所要の設定角度を回転させるモータであることを特徴とする請求項１〜５の何れか１項に記載の用紙搬送切換ゲート。
【請求項８】
前記受入れ接続路及び前記排出接続路は、前記回動部材の軸心に平行な直線を母線としたガイド面が形成されていることを特徴とする請求項１〜７の何れか１項に記載の用紙搬送切換ゲート。
【請求項９】
請求項１〜８の何れかに記載の用紙搬送切換ゲートを装着したことを特徴とする画像形成装置。
【発明の詳細な説明】
【技術分野】
【０００１】
本発明は画像形成装置の通紙経路を切り換える用紙搬送切換ゲートに関する。
【背景技術】
【０００２】
従来より下流側の１つの通紙経路Ｕから上流側の３方向の通紙経路に切り換える場合、特許文献１に開示されているような構成のものがある。即ち、図９の模式図に示すように、まず、通紙経路Ｕをゲート２６９Ａによって２方向の通紙経路Ａ，Ｂの何れかへ切り換える手段が採られている。更に切り換えられた何れか一方の通紙経路（ここでは例えば通紙経路Ｂ）を更にゲート２６９Ｂによって２方向の通紙経路Ｂ、Ｃの何れかに切り換えて、結果的に３方向に切り換える手段が採られていた。即ち切換を２段に分けて行っている。
【０００３】
また、このように２方向へ切り替える手段の切換ゲートの動作は、図１０の模式図に示すようにバネ２４９で付勢して突き当て部のストッパ２６８に突き当てる手段が採られている。そしてこの位置をホームポジションにして、例えば一方の通紙経路Ｂへの導通を決め、それを切り換えるには、バネ２４９に抗してソレノイド２６６の動作でゲート２６９Ａを吸引して、他方の通紙経路Ａに切換るようにしていた。
【０００４】
また、一般的に通紙経路を切り換える駆動手段としては、ソレノイドの他にモータ駆動で行う手段もあった。
【特許文献１】特開平７−２２８４０１号公報
【発明の開示】
【発明が解決しようとする課題】
【０００５】
前述の２方向へのゲート切換の場合にはストッパへのゲートの突き当て時に動作音が発生し、騒音の問題があった。また、切換におけるゲート動作をモータで行う構成は、ラックとピニオン等の駆動連結方式を採るので切換動作に時間を要し、高い生産性を得るには好ましくはなかった。また、２方向へ切り換える手段を続けて２回行って３方向切換を行うのは、画像形成装置等の装置内のレイアウト上コンパクト化の妨げに繋がっていた。
【０００６】
本発明はこのような従来技術の欠点を除去し、１箇所で３方向に用紙を切換える簡単でコンパクトな用紙搬送切換ゲートを提供し、更にそれを装着した画像形成装置を提供することを課題にする。
【課題を解決するための手段】
【０００７】
この目的は次の技術手段１〜９の何れかによって達成される。
１．上流側搬送路から複数の下流側搬送路の何れかに接続して用紙の搬送路を切換える用紙搬送切換ゲートであって、
前記上流側搬送路からの用紙を受け入れる受入れ接続口を有する複数の受入れ接続路と、
該受入れ接続路が合流して前記下流側搬送路へ用紙を排出する排出接続口を有する排出接続路と、が一体に形成されると共に回動可能となされた回動部材と、
通電により前記回動部材を所要の設定角度回動させる駆動手段と、
前記回動部材上の第１の作用部位の作用点と、前記回動部材以外の場所の第２の作用部位の作用点とが作用し合うよう付勢する付勢手段とを有し、
前記駆動手段へ通電されないとき、前記付勢手段により前記第１の作用部位の作用点と、前記第２の作用部位の作用点と、前記回動部材の軸心上の１点とが直線上にある状態で前記回動部材が停止することを特徴とする用紙搬送切換ゲート。
２．前記駆動手段の通電されないときの前記回動部材が停止する位置は、前記排出接続口が前記下流側搬送路の何れか１つに合致し、且つ、その合致に対応する前記受入れ接続口が前記上流側搬送路に合致する位置であることを特徴とする１に記載の用紙搬送切換ゲート。
３．前記付勢手段の付勢に抗して、前記駆動手段が働き、前記回動部材を所要の設定角度回動して、上流側搬送路を前記複数の下流側搬送路の何れかに接続して接続を切り換えるようにしたことを特徴とする１又は２に記載の用紙搬送切換ゲート。
４．前記付勢手段は前記第１の作用部位と前記第２の作用部位との間に設けられたバネであることを特徴とする１〜３の何れか１項に記載の用紙搬送切換ゲート。
５．前記付勢手段は前記第１の作用部位に設けられた磁石と、前記第２の作用部位に設けられた磁石との間に引き合う磁力を発生させる手段であることを特徴とする１〜３の何れか１項に記載の用紙搬送切換ゲート。
６．前記回動部材の所要の設定角度を回動させる駆動手段は、前記回動部材に設けた作用部位を作動させるソレノイドであることを特徴とする１〜５の何れか１項に記載の用紙搬送切換ゲート。
７．前記回動部材の回動を行う駆動手段は、前記回動部材の回動軸に連結して所要の設定角度を回転させるモータであることを特徴とする１〜５の何れか１項に記載の用紙搬送切換ゲート。
８．前記受入れ接続路及び前記排出接続路は、前記回動部材の軸心に平行な直線を母線としたガイド面が形成されていることを特徴とする１〜７の何れか１項に記載の用紙搬送切換ゲート。
９．１〜８の何れかに記載の用紙搬送切換ゲートを装着したことを特徴とする画像形成装置。
【発明の効果】
【０００８】
本発明により、簡単でコンパクトな構造で迅速に作動し、更に騒音の発生が抑制されるようにした用紙搬送切換ゲートが可能になり、それを装着した高速性能の画像形成装置を提供できるようになった。
【発明を実施するための最良の形態】
【０００９】
以下、本発明の実施の形態を図を用いて説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１０】
まず、本発明の用紙搬送切換ゲートが装着された画像形成装置について図１を用いて説明する。
【００１１】
図１に示す画像形成装置１は、デジタル方式による画像形成装置であって、画像読取り部Ａ、画像処理部Ｂ、画像形成部Ｃ、用紙搬送手段としての用紙搬送部Ｄから構成されている。
【００１２】
画像読取り部Ａの上部には原稿を自動搬送する自動原稿送り手段が設けられていて、原稿載置台１１上に載置された原稿は原稿搬送ローラ１２によって１枚宛分離搬送され読み取り位置１３ａにて画像の読み取りが行われる。原稿読み取りが終了した原稿は原稿搬送ローラ１２によって原稿排紙皿１４上に排出される。
【００１３】
一方、プラテンガラス１３上に原稿が置かれる。該原稿の画像は走査光学系を構成する照明ランプ及び第１ミラーから成る第１ミラーユニット１５の速度ｖによる読み取り動作と、Ｖ字状に位置した第２ミラー及び第３ミラーから成る第２ミラーユニット１６の同方向への速度ｖ／２による移動によって読み取られる。
【００１４】
読み取られた画像は、投影レンズ１７を通してラインセンサである撮像素子ＣＣＤの受光面に結像される。撮像素子ＣＣＤ上に結像されたライン状の光学像は順次電気信号（輝度信号）に光電変換されたのちＡ／Ｄ変換を行い、画像処理部Ｂにおいて濃度変換、フィルタ処理などの処理が施された後、画像データは一旦メモリに記憶される。
【００１５】
画像形成部Ｃでは、画像形成ユニットとして、像担持体であるドラム状の感光体２１と、その外周に、該感光体２１を帯電させる帯電手段２２、帯電した感光体の表面電位を検出する電位検出手段２２０、現像手段２３がそれぞれ動作順に配置される。更に、転写分離手段である転写極２４及び分離極２５、前記感光体２１のクリーニング装置２６及び光除電手段としてのＰＣＬ（プレチャージランプ）２７が各々動作順に配置されている。また、現像手段２３の下流側には感光体２１上に現像されたパッチ像の反射濃度を測定する反射濃度検出手段２２２が設けられている。感光体２１は、光導電性化合物をドラム基体上に塗布形成したもので、例えば有機感光体（ＯＰＣ）が好ましく使用され、図示の時計方向に駆動回転される。
【００１６】
回転する感光体２１へは帯電手段２２による一様帯電がなされた後、像露光手段としての露光光学系３０により画像処理部Ｂのメモリから呼び出された画像信号に基づいた像露光が行われる。書き込み手段である像露光手段としての露光光学系３０は図示しないレーザーダイオードを発光光源とし、回転するポリゴンミラー３１、ｆθレンズ３４、シリンドリカルレンズ３５を経て反射ミラー３２により光路が曲げられ主走査がなされるものである。そして感光体２１に対してＡｏの位置において像露光が行われ、感光体２１の回転（副走査）によって潜像が形成される。本実施の形態の一例では文字部に対して露光を行い潜像を形成する。
【００１７】
感光体２１上の潜像は現像手段２３によって反転現像が行われ、感光体２１の表面に可視像のトナー像が形成される。そのトナー像は後述する転写位置Ｂｏで転写材としての用紙Ｐ上に転写される。用紙Ｐはプラスチックのものであっても良い。
【００１８】
用紙搬送部Ｄでは、画像形成ユニットの下方に異なるサイズの用紙Ｐが収納された用紙収納手段としての給紙ユニット４１（Ａ）、４１（Ｂ）、４１（Ｃ）が設けられ、また側方には手差し給紙を行う手差し給紙ユニット４２が設けられている。それらの何れかから選択された用紙Ｐは案内ローラ４３によって搬送路４０に沿って給紙され、給紙される用紙Ｐの傾きと偏りの修正を行うレジストローラ対４４によって用紙Ｐは一時停止を行ったのち再給紙が行われる。そして搬送路４０、転写前ローラ４３ａ、給紙経路４６及び進入ガイド板４７に案内され、感光体２１上のトナー画像が転写位置Ｂｏにおいて転写極２４及び分離極２５によって用紙Ｐ上に転写され、搬送ベルト装置４５の搬送ベルト４５４に載置搬送される。このようにして、前記用紙Ｐは感光体２１面より分離し、前記搬送ベルト装置４５により定着手段としての定着装置５０に搬送される。
【００１９】
定着装置５０は加熱源を持つ、回転体加熱部材としての定着ローラ５１と加圧部材としての加圧ローラ５９とを有しており、用紙Ｐを定着ローラ５１と加圧ローラ５９との間を通過させることにより、加熱、加圧によってトナーを定着させる。トナー画像の定着を終えた用紙Ｐは排出ローラ６３により排紙トレイ６４上に排出される。
【００２０】
以上は用紙Ｐの片側への画像形成を行う状態を説明したものであるが、両面複写の場合は２方向切換ゲートとしての排紙切換部材１７０が切り替わり、用紙案内部１７７が開放され、用紙としての用紙Ｐは破線矢印の方向に搬送される。
【００２１】
更に、搬送機構１７８により用紙Ｐは下方に搬送され、用紙反転部１７９によりスイッチバックさせられ、用紙としての用紙Ｐの後端部は先端部となって両面複写用給紙ユニット１３０内に搬送される。
【００２２】
用紙Ｐは両面複写用給紙ユニット１３０に設けられた搬送ガイド１３１を給紙方向に移動し、給紙ローラ１３２で用紙Ｐを再給紙し、用紙Ｐを搬送路４０に案内する。
【００２３】
再び、上述したように感光体２１の方向に用紙Ｐを搬送し、用紙Ｐの裏面にトナー画像を転写し、定着装置５０で定着した後、排出ローラ６３により排紙トレイ６４上に排紙する。
【００２４】
また、排紙トレイ６４はファックス用の排紙トレイ６４Ａ、複写機用の排紙トレイ６４Ｂ、パソコン等の画像情報により作動するプリンタ用の排紙トレイ６４Ｃに分けて排紙の回収ができるようにしてある。そのために前記排出ローラ６３から前記各排紙トレイの間に図２にも示すように３方向に搬送を切換える用紙搬送切換ゲート２４０が設けられている。
【００２５】
次に用紙搬送切換ゲート２４０についてその実施の形態の一例を図２の正面図及び図３の斜視図を用いて説明する。
【００２６】
前記用紙搬送切換ゲート２４０には、上流側搬送路２３１から複数の下流側搬送路２５１、２５２、２５３の何れかに接続して用紙Ｐの搬送路を切換える回動部材２４１が設けられている。
【００２７】
該回動部材２４１には、前記上流側搬送路２３１からの用紙Ｐを受け入れる複数の受入れ接続口２４２ｉ、２４３ｉ、２４４ｉを有する受入れ接続路２４２，２４３，２４４が設けられている。また、該受入れ接続路２４２，２４３，２４４が合流し、且つ、前記下流側搬送路２５１、２５２、２５３への排出接続口２４５Ｄを有する排出接続路２４５が設けられている。
【００２８】
前記受入れ接続口２４２ｉ、２４３ｉ、２４４ｉを有する受入れ接続路２４２，２４３，２４４、前記排出接続口２４５Ｄを有する前記排出接続路２４５には、前記回動部材２４１の軸心２４１Ｃに平行な直線を母線としてガイド面が形成されていることが好ましい。
【００２９】
そして、前記回動部材２４１を回動駆動するソレノイド２６１、２６２で構成された駆動手段２６０が設けられている。更に、この用紙搬送切換ゲート２４０には、前記駆動手段２６０が通電を解除して駆動を停止したとき、前記回動部材２４１が回動して所定位置に戻されるように、バネ２４９で構成された付勢手段が設けられている。
【００３０】
また、前記所定位置には、前記排出接続口２４５Ｄが前記下流側搬送路２５１、２５２、２５３の１つに合致し、且つその合致に対応する、前記受入れ接続口２４２ｉ、２４３ｉ、２４４ｉの１つが前記上流側搬送路２３１に合致する位置が選定されるようにしてあることが好ましい。
【００３１】
前記回動部材２４１の外面には、付勢手段の第１の作用部位２４７が設けられている。ここでは一例として、前記第１の作用部位２４７の形成されている位置は、前記回動部材２４１の軸端部に取り付けられて該回動部材２４１と一体に形成されたレバー状部２４１Ｌの端部に設けられている。しかし、これに限られるものではなく、回動部材２４１と一体的に形成されている位置であれば良い。また、前記第１の作用部位２４７と前記回動部材２４１の軸心２４１Ｃを結ぶ直線が、前記排出接続口２４５Ｄ及び前記軸心２４１Ｃを結ぶ直線に対して角度αで形成されている。ここに前記所定角度αは０°であっても良く、図３の斜視図ではαを０°にして構成した状態を示している。
【００３２】
また、付勢手段の第２の作用部位２４８が前記回動部材２４１以外の場所に固定して設けられている。因みに、図３に示す例では該作用部位２４８は上流側搬送路２３１の外側部分に固定されている。しかし、これに限定されるものではない。
【００３３】
さて、前記駆動手段２６０が通電を解除したとき、回動部材２４１上に固定された第１の作用部位２４７の作用点と、前記回動部材２４１以外の場所に固定された第２の作用部位２４８の作用点との間に、前記回動部材２４１を所定位置に回動させる付勢手段が働くようにしてある。即ち、付勢手段としてバネ２４９による付勢力が働き、前記第１の作用部位２４７の作用点と、前記第２の作用部位２４８の作用点と、前記回動部材２４１の軸心２４１Ｃ上の１点が直線上にある状態で停止するようになっている。この付勢手段のみの作動の状態は図５の模式図にも示される。
【００３４】
このように回動部材２４１を停止しうるように構成することで、従来のようにストッパ２６８に突き当てて停止させることないので、騒音の発生が抑制される。
【００３５】
別の実施の形態を図４の正面図を用いて説明する。
【００３６】
これは、付勢手段としてバネ２４９を用いる代わりに、前記第１の作用部位２４７に設けられた磁石と、前記第２の作用部位２４８Ａに設けられた磁石との間に、互いに異なる磁極同士が向き合いお互いにＮとＳで引き合うように、磁力を発生させる手段を設けたものである。この場合、軸心２４１Ｃから第１の作用部位２４７の作用点迄の距離と第２の作用部位２４８Ａの作用点迄の距離は同じにしてある。即ち、前記駆動手段２６０が通電を解除したとき、回動部材２４１上に固定された第１の作用部位２４７の作用点と、前記回動部材２４１以外の場所に固定された第２の作用部位２４８Ａの作用点との間に、前記回動部材２４１を所定位置に回動させて戻す付勢手段が働く。その付勢力は前記磁石同士が向き合ってお互いに引き合う磁極Ｎと磁極Ｓであり、ＮとＳが接触して重ねられて停止された状態においては、第１の作用部位２４７の作用点と、第２の作用部位２４８Ａの作用点とが、前記回動部材２４１の軸心２４１Ｃ上の１点を通る直線上にある。
【００３７】
この付勢手段のみの作動の状態は、図６（ａ）の平面図及び（ｂ）の側面図並びに図６（ｃ）の平面図及び（ｄ）の側面図にも示される通りである。図６（ａ）、（ｂ）に示すものはは磁石の吸着面が前記回動部材２４１の軸心２４１Ｃに平行な向きに配列されたものであり、図６（ｃ）、（ｄ）に示すものはは磁石の吸着面が前記回動部材２４１の軸心２４１Ｃに直角な向きに配列されたものである。前記各磁石間で接触して向き合う磁極の極性は互いに逆であればよい。
【００３８】
この場合も、付勢手段によって、前記所定位置に戻すに当たって、従来のようにストッパ２６８に突き当てて停止させることが無いので、騒音の発生が抑制される。
【００３９】
また、前述の例では、第１の作用部位及び第２の作用部位に、共に磁石を用いたが、一方が磁石で他方が磁性体である編成にしても良い。
【００４０】
このような前記バネ２４９又は磁石同士による付勢に抗して、前記駆動手段２６０が働き、前記回動部材２４１を所要の設定角度回動させて、前記複数の下流側搬送路２５１、２５２、２５３の何れかに接続して接続を切り換えるようにしてある。
【００４１】
前記回動部材２４１の回動を行う駆動手段２６０としてのソレノイド２６１、２６２は、その移動子２６１Ａ、２６２Ａの先端部を前記回動部材２４１に設けたソレノイドの作用部位２４６に作動させて行うようにしてある。図２、図４の正面図及び図７の模式図にも図示したが、構造が簡単であり高速で生産性も高い。
【００４２】
前記回動部材２４１の回動を行う他の駆動手段２６０は、前記回動部材の駆動軸２４１Ｄに連結したステッピングモータやパルスモータ等のモータ（図示せず）に所要の設定角度を回転させて行うものである。回動部材２４１にモータを直結して駆動することにより、かなり、高速化対応ができ生産性も高められる。
【００４３】
このような用紙搬送切換ゲート２４０を装着した画像形成装置は、例えば、前述のように、ファックス用の排紙トレイ６４Ａ、複写機用の排紙トレイ６４Ｂ、パソコン等の画像情報により作動するプリンタ用の排紙トレイ６４Ｃに分けて排紙の回収ができる。
【００４４】
また、画像形成装置の後処理装置における各分岐路に適用することができる。
【００４５】
このような複数の搬送方向へ用紙を切り換えて搬送させる用紙搬送切換ゲートは上述のように３方向への切換でなく４方向、５方向及びそれ以上の方向への切換や２方向への切換にも対応可能である。
【００４６】
また、上述の、３方向への用紙搬送切換ゲート２４０の別の応用例の１つを示すと次のようになる。即ち、図８の模式図に示すように、カールを持った用紙が、前記回動部材２４１の排出接続路２４５に進入すると、用紙自身のカールによる前記回動部材２４１を回転させる力が働く。このように、前記付勢力であるバネ２４９に打ち勝って前記回動部材２４１が微動する。その結果予め通電されている駆動手段２６０としてのソレノイド２６４が作動する。その結果、カールで押された側の下流側搬送路２５３に接続し、該下流側搬送路２５３に設けられたデカーラ２７２を通過させることによりカールを矯正することができる。そして、下流側搬送路に、用紙が搬送し終わると、用紙の後端が後端検知器２７６で検知され、ソレノイドの通電が絶たれ、排出接続路２４５は中央にある下流側搬送路２５２に接続するように戻される。そして次の用紙先端部の回動部材２４１への進入が先端検知器２７５で検出されると、再びソレノイドが通電され、カールが起きている場合に上記作動が繰り返される。
【００４７】
また、用紙自身のカールが前述のカールと逆のカールである場合にはカールで押された側の下流側搬送路２５１に接続し、該下流側搬送路２５１に設けられたデカーラ２７１を通過させることによりカールを矯正することができる。また、カールのない用紙は回動部材２４１を微動させないので、前記駆動手段２６０としてのソレノイド２６４が通電されていても作動せず、中央の下流側搬送路２５２に進む。そしてカールが矯正された用紙はその下流側の搬送路（図示せず）へ合流して接続され、全てカールが無くなった用紙を搬送させて行くことが可能になる。
【００４８】
前記第１の作用部位２４７及び第２の作用部位２４８，２４８Ａは、バネ２４９を掛けるピン又は孔を設けたものか、或いは磁石の互いに異なる磁極が引き合うように取り付けられるようにしたものである。
【図面の簡単な説明】
【００４９】
【図１】本発明の用紙搬送切換ゲートが装着された画像形成装置のが略図である。
【図２】本発明の用紙搬送切換ゲートの１実施の形態の正面図である。
【図３】本発明の用紙搬送切換ゲートの１実施の形態の斜視図である。
【図４】本発明の用紙搬送切換ゲートの別の実施の形態を示す正面図である。
【図５】付勢手段としてバネを用いた場合の作動状態を示す模式図である。
【図６】付勢手段として磁石を用いた場合の作動状態を示す図であり、（ａ）は磁石の吸着面が回動部材の軸心に平行な向きに配列された場合の平面図であり、（ｂ）はその側面図であり、（ｃ）は磁石の吸着面が回動部材の軸心に直角な向きに配列された場合の平面図であり、（ｄ）はその側面図である。
【図７】駆動手段としてソレノイドを用いた場合の作動状態を示す模式図である。
【図８】用紙搬送切換ゲートにカール検知矯正手段を設けた作動状態を示す模式図である。
【図９】従来の２方向切換ゲートを２段階に設けて３方向切換ゲートにした状態を示す模式図である。
【図１０】従来の２方向切換ゲートを示す模式図である。
【符号の説明】
【００５０】
１  画像形成装置
６４  排紙トレイ
６４Ａ  ファックス用の排紙トレイ
６４Ｂ  複写機用の排紙トレイ
６４Ｃ  プリンタ用の排紙トレイ
２３１  上流側搬送路
２４０  用紙搬送切換ゲート
２４１  回動部材
２４１Ｃ  軸心
２４２，２４３，２４４  受け入れ接続路
２４２ｉ，２４３ｉ，２４４ｉ  受け入れ接続口
２４５  排出接続路
２４５Ｄ  排出接続口
２４６  ソレノイドの作用部位
２４７  第１の作用部位
２４８，２４８Ａ  第２の作用部位
２４９  バネ
２５１，２５２，２５３  下流側搬送路
２６０  駆動手段
２６１，２６２，２６４  ソレノイド
２７１，２７２  デカーラ
２７５  先端検知器
２７６  後端検知器
Ｐ  用紙
【図１】
2009067529.tif 000003
【図２】
2009067529.tif 000004
【図３】
2009067529.tif 000005
【図４】
2009067529.tif 000006
【図５】
2009067529.tif 000007
【図６】
2009067529.tif 000008
【図７】
2009067529.tif 000009
【図８】
2009067529.tif 000010
【図９】
2009067529.tif 000011
【図１０】
2009067529.tif 000012